(57)【要約】【課題】  放送される番組の画像・音声情報を適切な記録媒体に確実に記録することができるとともに、記録に要する手間を格段に低減させることができる情報記録装置及び情報記録方法を提供する。【解決手段】  放送される番組の音声情報及び／又は画像情報を受信する受信手段１１と、記録媒体に記録する記録手段１３と、を有する情報記録装置１において、複数の記録媒体を収納する記録媒体収納手段２０と、放送される特定の番組と特定の記録媒体２１とを関連付ける関連付手段１５と、受信手段１１で特定の番組の音声情報及び／又は画像情報を受信した場合に、特定の番組に関連付けられた特定の記録媒体２１を記録媒体収納手段２０に収納された複数の記録媒体の中から抽出するとともに、記録手段１３を制御して特定の番組の音声情報及び／又は画像情報を特定の記録媒体２１に記録する制御部１４と、を備える。【選択図】図１
2005293624.tif 000002
【特許請求の範囲】
【請求項１】
放送される番組の音声情報及び／又は画像情報を受信する受信手段と、受信手段により受信した情報を記録媒体に記録する記録手段と、を有する情報記録装置において、
複数の記録媒体を収納する記録媒体収納手段と、
放送される特定の番組と、前記記録媒体収納手段に収納された特定の記録媒体と、を関連付ける関連付手段と、
前記受信手段で前記特定の番組の音声情報及び／又は画像情報を受信した場合に、前記関連付手段によって前記特定の番組に関連付けられた前記特定の記録媒体を、前記記録媒体収納手段に収納された複数の記録媒体の中から抽出する特定記録媒体抽出手段と、
前記記録手段を制御して、前記特定の番組の音声情報及び／又は画像情報を前記特定の記録媒体に記録する記録制御手段と、
を備えることを特徴とする情報記録装置。
【請求項２】
前記特定の番組の音声情報及び／又は画像情報を予備的に記録するための予備記録媒体を備え、
前記記録制御手段は、
前記記録手段を制御して、前記特定の番組の音声情報及び／又は画像情報を前記予備記録媒体に予備的に記録した後、前記予備記録媒体に予備的に記録した前記特定の番組の音声情報及び／又は画像情報を前記特定の記録媒体に記録することを特徴とする請求項１に記載の情報記録装置。
【請求項３】
前記予備記録媒体に記録した前記特定の番組の音声情報及び／又は画像情報を前記特定の記録媒体に記録した後に、前記予備記録媒体に記録した前記特定の番組の音声情報及び／又は画像情報を消去する情報消去手段を備えることを特徴とする請求項２に記載の情報記録装置。
【請求項４】
放送される番組の音声情報及び／又は画像情報を受信する受信手段と、受信手段により受信した情報を記録媒体に記録する記録手段と、記録媒体を複数収納する記録媒体収納手段と、を有する情報記録装置を用いて、放送される番組の音声情報及び／又は画像情報を記録媒体に記録する情報記録方法であって、
放送される特定の番組と、前記記録媒体収納手段に収納された特定の記録媒体と、を関連付ける関連付工程と、
前記受信手段で前記特定の番組の音声情報及び／又は画像情報を受信した場合に、前記関連付工程で前記特定の番組に関連付けられた前記特定の記録媒体を、前記記録媒体収納手段に収納された複数の記録媒体の中から抽出する特定記録媒体抽出工程と、
前記記録手段を制御して、前記特定の番組の音声情報及び／又は画像情報を前記特定の記録媒体に記録する情報記録工程と、
を備えることを特徴とする情報記録方法。
【請求項５】
前記情報記録工程では、
前記記録手段を制御して、前記特定の番組の音声情報及び／又は画像情報を所定の予備記録媒体に予備的に記録した後、前記予備記録媒体に記録した前記特定の番組の音声情報及び／又は画像情報を前記特定の記録媒体に記録することを特徴とする請求項４に記載の情報記録方法。
【請求項６】
前記予備記録媒体に記録した前記特定の番組の音声情報及び／又は画像情報を前記特定の記録媒体に記録した後に、前記予備記録媒体に記録した前記特定の番組の音声情報及び／又は画像情報を消去する情報消去工程を備えることを特徴とする請求項５に記載の情報記録方法。
【発明の詳細な説明】
【技術分野】
【０００１】
本発明は、情報記録装置及び情報記録方法に関する。
【背景技術】
【０００２】
従来より、ラジオ番組の音声情報をカセットテープやＭＤ等の記録媒体に記録（録音）したり、テレビ番組の画像・音声情報をビデオテープやＤＶＤ等の記録媒体に記録（録画・録音）したりする記録装置が実用化されている。かかる技術で使用されるＭＤやＤＶＤ等の記録媒体は、いずれも、記録装置に対して着脱自在な「リムーバブルメディア」である。
【０００３】
また、近年においては、通信衛星や放送衛星等を介して伝送される多チャンネルのテレビ番組の画像・音声情報を、所定期間分まとめてハードディスク等に蓄積し、この蓄積した情報の中から所望の番組の画像・音声情報のみを選択して、ＤＶＤ等のリムーバブルメディアに記録する記録装置が提案されている（例えば、特許文献１参照。）。
【特許文献１】特開２０００−２１５５４７号公報（第１頁、第１図）
【発明の開示】
【発明が解決しようとする課題】
【０００４】
ところで、特許文献１に記載されたような記録装置を用いてリムーバブルメディアに所望の番組の画像・音声情報を記録する際には、所望の番組の放送が開始される前に、ユーザが記録装置にリムーバブルメディアをセットする必要がある。
【０００５】
このように記録装置にリムーバブルメディアをセットする際には、特に番組毎に所定のメディアに記録して管理したい場合に、記録可能な所定のメディアを予め準備する必要があり、その作業に手間がかかるという問題がある。また、記録装置にリムーバブルメディアをセットする際に、ユーザが誤って不適切なメディアをセットしてしまった場合には、番組毎に所定のメディアに記録して管理したいというユーザの希望がかなえられなくなってしまう。
【０００６】
また、特許文献１に記載の記録装置においては、大量（例えば１週間分）の情報をハードディスク等に一度蓄積し、この蓄積した情報の中から所望の画像・音声情報のみを選択してリムーバブルメディアに記録するため、リムーバブルメディアへの記録を終えた後に、ハードディスク等に蓄積した大量の情報を消去する必要があり、その作業に手間がかかっていた。
【０００７】
本発明の課題は、ラジオ番組の音声情報やテレビ番組の画像・音声情報を、適切な記録媒体に確実に記録することができるとともに、記録に要する手間を格段に低減させることができる情報記録装置及び情報記録方法を提供することである。
【課題を解決するための手段】
【０００８】
以上の課題を解決するために、請求項１に記載の発明は、
放送される番組の音声情報及び／又は画像情報を受信する受信手段と、受信手段により受信した情報を記録媒体に記録する記録手段と、を有する情報記録装置において、
複数の記録媒体を収納する記録媒体収納手段と、
放送される特定の番組と、前記記録媒体収納手段に収納された特定の記録媒体と、を関連付ける関連付手段と、
前記受信手段で前記特定の番組の音声情報及び／又は画像情報を受信した場合に、前記関連付手段によって前記特定の番組に関連付けられた前記特定の記録媒体を、前記記録媒体収納手段に収納された複数の記録媒体の中から抽出する特定記録媒体抽出手段と、
前記記録手段を制御して、前記特定の番組の音声情報及び／又は画像情報を前記特定の記録媒体に記録する記録制御手段と、
を備えることを特徴とする。
【０００９】
請求項２に記載の発明は、請求項１に記載の情報記録装置において、
前記特定の番組の音声情報及び／又は画像情報を予備的に記録するための予備記録媒体を備え、
前記記録制御手段は、
前記記録手段を制御して、前記特定の番組の音声情報及び／又は画像情報を前記予備記録媒体に予備的に記録した後、前記予備記録媒体に予備的に記録した前記特定の番組の音声情報及び／又は画像情報を前記特定の記録媒体に記録することを特徴とする。
【００１０】
請求項３に記載の発明は、請求項２に記載の情報記録装置において、
前記予備記録媒体に記録した前記特定の番組の音声情報及び／又は画像情報を前記特定の記録媒体に記録した後に、前記予備記録媒体に記録した前記特定の番組の音声情報及び／又は画像情報を消去する情報消去手段を備えることを特徴とする
【００１１】
請求項４に記載の発明は、
放送される番組の音声情報及び／又は画像情報を受信する受信手段と、受信手段により受信した情報を記録媒体に記録する記録手段と、記録媒体を複数収納する記録媒体収納手段と、を有する情報記録装置を用いて、放送される番組の音声情報及び／又は画像情報を記録媒体に記録する情報記録方法であって、
放送される特定の番組と、前記記録媒体収納手段に収納された特定の記録媒体と、を関連付ける関連付工程と、
前記受信手段で前記特定の番組の音声情報及び／又は画像情報を受信した場合に、前記関連付工程で前記特定の番組に関連付けられた前記特定の記録媒体を、前記記録媒体収納手段に収納された複数の記録媒体の中から抽出する特定記録媒体抽出工程と、
前記記録手段を制御して、前記特定の番組の音声情報及び／又は画像情報を前記特定の記録媒体に記録する情報記録工程と、
を備えることを特徴とする。
【００１２】
請求項５に記載の発明は、請求項４に記載の情報記録方法において、
前記情報記録工程では、
前記記録手段を制御して、前記特定の番組の音声情報及び／又は画像情報を所定の予備記録媒体に予備的に記録した後、前記予備記録媒体に記録した前記特定の番組の音声情報及び／又は画像情報を前記特定の記録媒体に記録することを特徴とする。
【００１３】
請求項６に記載の発明は、請求項５に記載の情報記録方法において、
前記予備記録媒体に記録した前記特定の番組の音声情報及び／又は画像情報を前記特定の記録媒体に記録した後に、前記予備記録媒体に記録した前記特定の番組の音声情報及び／又は画像情報を消去する情報消去工程を備えることを特徴とする。
【発明の効果】
【００１４】
本発明によれば、ラジオ番組の音声情報やテレビ番組の画像・音声情報を、適切な記録媒体に確実に記録することができるとともに、記録に要する手間を格段に低減させることができる。
【発明を実施するための最良の形態】
【００１５】
以下、本発明の実施の形態を、図を用いて詳細に説明する。なお、本実施の形態においては、本発明に係る情報記録装置として、放送されたテレビ番組の画像・音声情報を複数のＤＶＤ（ＤＶＤ−Ｒ等の複数の記録可能なＤＶＤフォーマットを含む）に記録するＤＶＤレコーダ１を例示して説明することとする。
【００１６】
まず、図１及び図２を用いて、本実施の形態に係るＤＶＤレコーダ１の機能的構成について説明する。ＤＶＤレコーダ１は、図１に示すように、所定の放送局から放送される番組の画像・音声情報を予約して記録（録画・録音）する機能を有するレコーダ本体１０と、複数のＤＶＤ２２を収納するディスクストッカ２０と、を備えて構成されている。
【００１７】
レコーダ本体１０は、図１に示すように、放送受信部１１、ハードディスク１２、記録再生部１３、メモリ１４、操作部１５、表示部１６、制御部１７等を備えている。
【００１８】
放送受信部１１は、図１に示すようにアンテナ１１ａを備えており、このアンテナ１１ａを介して、放送局から送られてくる番組の画像・音声情報を受信するものである。すなわち、放送受信部１１は本発明における受信手段として機能する。
【００１９】
ハードディスク１２は、放送受信部１１を介して受信した画像・音声情報を予備的に記録するためのものであり、本発明における予備記録媒体として機能する。ハードディスク１２は、制御部１７により駆動制御される（図示されていない）ハードディスクドライブによって駆動される。
【００２０】
記録再生部１３は、制御部１７の制御に基づいて、放送受信部１１で受信した画像・音声情報をハードディスク１２に予備的に記録した後、ハードディスク１２内の画像・音声情報をディスクストッカ２０内のＤＶＤ２２に記録するものである。すなわち、記録再生部１３は本発明における記録手段として機能する。また、記録再生部１３は、制御部１７の制御に基づいて、ディスクストッカ２０内のＤＶＤ２２に記録された情報を再生して表示部１６に出力する。
【００２１】
メモリ１４は、制御部１７により実行される各種制御プログラムや、制御に使用される各種データ等を記録するものであり、読出自在で書替不能な記録媒体であるＲＯＭや、読み書き自在な記録媒体であるＲＡＭ等から構成されている。
【００２２】
メモリ１４には、図２に示すように、放送受信部１１で受信した画像・音声情報をハードディスク１２に予備的に記録するための予備記録プログラム１４ａ、特定の番組に関連付けられた特定のＤＶＤ２２を抽出するためのディスク抽出プログラム１４ｂ、ハードディスク１２に予備的に記録された特定の番組の画像・音声情報を特定のＤＶＤ２２に記録するための情報記録プログラム１４ｃ、ハードディスク１２に予備的に記録された特定の番組の画像・音声情報を、特定のＤＶＤ２２に記録した後に消去するための情報消去プログラム１４ｄ、等が記録されている。
【００２３】
また、メモリ１４には、図２に示すように、関連付テーブル１４ｅが記録される。関連付テーブル１４ｅは、特定の番組の名称と、ディスクストッカ２０内に収納されたＤＶＤ２２の管理番号と、を一対一に対応させて関連付けるものであり、操作部１５の入力キー（後述）を用いて作成される。関連付テーブル１４ｅは、前記したディスク抽出処理プログラム１４ｂを実行して特定の番組に関連付けられた特定のＤＶＤ２２を抽出する際に用いられる。
【００２４】
操作部１５は、放送されるテレビ番組の画像・音声情報を録画するための録画キー、ＤＶＤ２２に記録された情報を再生するための再生キー、特定の番組と特定のＤＶＤ２２とを一対一に対応させて関連付ける関連付テーブル１４ｅを作成するための入力キー、等を備えている。すなわち、操作部１５は本発明における関連付手段として機能する。
【００２５】
表示部１６は、操作部１５の各種キーにより入力された入力情報、記録再生部１３によって再生された画像・音声情報等を表示するものである。表示部１６としては、ＣＲＴディスプレイ、液晶ディスプレイ等を採用することができる。
【００２６】
制御部１７は、レコーダ本体１０に搭載された各種機器を統合制御するものであり、ＣＰＵ等で構成されている。具体的には、制御部１７は、メモリ１４に記録された予備記録プログラム１４ａを実行することにより記録再生部１３を制御して、放送受信部１１で受信した画像・音声情報をハードディスク１２に予備的に記録する。
【００２７】
また、制御部１７は、メモリ１４に記録されたディスク抽出プログラム１４ｂを実行することにより、ディスクストッカ２０内に収納された複数のＤＶＤ２２の中から、特定の番組に関連付けられた特定のＤＶＤ２２を抽出する。すなわち、制御部１７は、本発明における特定記録媒体抽出手段として機能する。
【００２８】
また、制御部１７は、メモリ１４に記録された情報記録プログラム１４ｃを実行することにより記録再生部１３を制御して、ハードディスク１２に予備的に記録された特定の番組の画像・音声情報を、特定の番組に関連付けられた特定のＤＶＤ２２に記録する。すなわち、制御部１７は、本発明における記録制御手段としても機能する。
【００２９】
また、制御部１７は、メモリ１４に記録された情報消去プログラム１４ｄを実行することにより、ハードディスク１２に予備的に記録された特定の番組の画像・音声情報が特定のＤＶＤ２２に記録された後に、ハードディスク１２に予備的に記録されていた特定の番組の画像・音声情報を消去する。すなわち、制御部１７は、本発明における情報消去手段としても機能する。
【００３０】
ディスクストッカ２０は、図１に示すように、複数個のディスク収納部２１を備えており、各ディスク収納部２１に、本発明における記録媒体であるＤＶＤ２２を収納することができるようになっている。すなわち、ディスクストッカ２０は本発明における記録媒体収納手段である。ディスクストッカ２０はレコーダ本体１０と電気的に接続されており、ディスクストッカ２０の各ディスク収納部２１に収納されたＤＶＤ２２は、レコーダ本体１０の記録再生部１３によって再生される。
【００３１】
なお、ディスクストッカ２０の各ディスク収納部２１にはＮｏ．「１」〜Ｎｏ．「Ｎ」までの番号が付されており、何れかのディスク収納部２１にＤＶＤ２２が収納されると、レコーダ本体１０の制御部１７は、そのディスク収納部２１の番号をＤＶＤ２２の管理番号として認識するようになっている。例えば、Ｎｏ．「３」の番号が付されたディスク収納部２１にＤＶＤ２２が収納された場合には、そのＤＶＤ２２の管理番号は「３」となる。
【００３２】
次に、本実施の形態に係るＤＶＤレコーダ１を用いた情報記録方法について説明する。
【００３３】
まず、ユーザは、ディスクストッカ２０の複数のディスク収納部２１に未使用のＤＶＤ２２を収納する（記録媒体収納工程：Ｓ１）。ディスクストッカ２０のディスク収納部２１にＤＶＤ２２が収納されると、レコーダ本体１０の制御部１７は、そのディスク収納部２１の番号をＤＶＤ２２の管理番号として認識する。
【００３４】
次いで、ユーザは、レコーダ本体１０の操作部１５を用いて、録画を希望する特定の番組と、ディスクストッカ２０に収納された特定のＤＶＤ２２と、を一対一に対応させて関連付けるための関連付テーブル１４ｅを作成し、作成した関連付テーブル１４ｅをレコーダ本体１０のメモリ１４に記録する（関連付工程：Ｓ２）。
【００３５】
本実施の形態においては、図３に示すように、「スポーツ」のカテゴリに属する特定の番組「プロ野球：△△対○○戦」を管理番号「１」のＤＶＤ２２に、「ニュース」のカテゴリに属する特定の番組「特許ニュース」を管理番号「２」のＤＶＤ２２に、「教養」のカテゴリに属する特定の番組「スペイン語講座」を管理番号「３」のＤＶＤ２２に、「娯楽」のカテゴリに属する特定の番組「連続ドラマ×××」を管理番号「４」のＤＶＤ２２に、各々関連付けた間連付テーブル１４ｅを作成している。
【００３６】
次いで、ユーザは、レコーダ本体１０の操作部１５を用いて、特定の番組を予約録画するための設定入力を行う（録画予約工程：Ｓ３）。かかる予約録画設定がなされると、レコーダ本体１０の制御部１７は、図示されていない計時部により現在時刻を計測し、設定された時刻に達した時点でレコーダ本体１０を起動させ、放送受信部１１を介して特定の番組を受信する。そして、受信した特定の番組の画像・音声情報をハードディスク１２に予備的に記録する（情報予備記録工程：Ｓ４）。
【００３７】
次いで、レコーダ本体１０の制御部１７は、ハードディスク１２に特定の番組の画像・音声情報を予備的に記録した後、ディスクストッカ２０内に収納された複数のＤＶＤ２２の中から、特定の番組に関連付けられた特定のＤＶＤ２２を抽出する（特定記録媒体抽出工程：Ｓ５）。そして、レコーダ本体１０の制御部１７は、ディスク抽出工程Ｓ５で抽出した特定のＤＶＤ２２に、ハードディスク１２に予備的に記録された特定の番組の画像・音声情報を記録する（情報記録工程：Ｓ６）。
【００３８】
例えば、特定の番組が「連続ドラマ×××」である場合には、この「連続ドラマ×××」に関連付けられた管理番号「４」のＤＶＤ２２を自動的に抽出し、この管理番号「４」のＤＶＤ２２に「連続ドラマ×××」の画像・音声情報を自動的に記録する。また、特定の番組が「プロ野球：△△対○○戦」である場合には、この「プロ野球：△△対○○戦」に関連付けられた管理番号「１」のＤＶＤ２２を自動的に抽出し、この管理番号「１」のＤＶＤ２２に「プロ野球：△△対○○戦」の画像・音声情報を自動的に記録する。
【００３９】
かかる情報記録工程Ｓ６を経た後、レコーダ本体１０の制御部１７は、ハードディスク１２に予備的に記録された特定の番組の画像・音声情報を消去する（情報消去工程：Ｓ７）。
【００４０】
以上説明した実施の形態に係るＤＶＤレコーダ１においては、操作部１５を用いて、特定の番組と、ディスクストッカ２０に収納された特定のＤＶＤ２２と、を一対一に対応させて関連付けることができる。そして、特定番組（例えば「連続ドラマ×××」）が放送された場合に、この特定番組に関連付けられた特定のＤＶＤ（管理番号「４」のＤＶＤ）２２を自動的に抽出し、特定番組の画像・音声情報を特定のＤＶＤ２２に自動的に記録することができる。従って、特定の番組が放送された場合に、その番組の画像・音声情報を特定のＤＶＤ２２に確実にかつ自動的に記録することができる。このため、シリーズで放送されるような特定の番組を一枚のＤＶＤ２２に自動的に編集することができる。
【００４１】
また、以上説明した実施の形態に係るＤＶＤレコーダ１においては、ディスクストッカ２０に複数のＤＶＤ２２が収納されており、これら複数のＤＶＤ２２の中から適切なＤＶＤ２２を自動的に抽出することができるので、ＤＶＤ２２を探す手間や、ＤＶＤ２２をセットする手間を省くことができる。また、ユーザが誤って不適切なＤＶＤ２２をセットしてしまうという事態を未然に防ぐことができるので、所望の番組の画像・音声情報を記録する機会を逃がすことがなく、番組毎に別々のＤＶＤ２２に記録して管理したいというユーザの希望をかなえることができる。また、一度の記録のみが可能な「ＤＶＤ−Ｒ」をＤＶＤ２２として採用した場合においても、このＤＶＤ−Ｒに誤って記録することがないので、ＤＶＤ−Ｒの無駄な消費を阻止することができる。
【００４２】
また、以上説明した実施の形態に係るＤＶＤレコーダ１においては、ハードディスク１２に予備的に記録された特定の番組の画像・音声情報を、特定のＤＶＤ２２に記録した後に自動的に消去することができる。従って、ハードディスク１２に予備的に記録された情報を消去する作業が不要となる。また、大量の情報がハードディスク１２に蓄積されるのを阻止することができるので、比較的小容量のハードディスク１２を採用することができるため、コストの抑制が可能となる。
【００４３】
なお、以上の実施の形態においては、ＤＶＤレコーダ１のレコーダ本体１０にハードディスク１２を搭載し、放送受信部１１で受信した特定の番組の画像・音声情報をハードディスク１２に予備的に記録した後、ハードディスク１２内の情報を特定のＤＶＤ２２に記録した例を示したが、ハードディスク１２を搭載することなく、放送受信部１１で受信した特定の番組の画像・音声情報を特定のＤＶＤ２２に「直接的に」記録する構成を採用することもできる。
【００４４】
また、以上の実施の形態においては、特定の番組と、ディスクストッカ２０に収納された特定のＤＶＤ２２の管理番号と、を一対一に対応させて関連付けた例を示したが、特定の番組と特定のＤＶＤとの関連付けの態様はこれに限られるものではない。例えば、特定のカテゴリに属する一群の番組（例えば「スポーツ」に属する野球、サッカー、マラソン等に係る番組）と、一枚のＤＶＤと、を対応させて関連付けることもできる。かかる場合には、同一カテゴリに属する一群の番組を一枚のＤＶＤにまとめて編集することができる。
【００４５】
また、以上の実施の形態においては、特定の番組の画像・音声情報の録画予約を行った上で、制御部１７による自動記録制御（情報予備記録工程Ｓ４〜情報消去工程Ｓ７）を実現させた例を示したが、特定の番組が放送される直前にユーザが操作部１５を操作して録画を開始させた上で、制御部１７による自動記録制御を実現させることもできる。
【００４６】
また、以上の実施の形態に係るＤＶＤレコーダ１のレコーダ本体１０及びディスクストッカ２０の機械的（物理的）構成は、特に限定されるものではない。例えば、レコーダ本体１０とディスクストッカ２０とを一の筐体内に搭載して一の装置（ＤＶＤレコーダ１）とすることができる。また、レコーダ本体１０とディスクストッカ２０とを別体とし、これらを電気的に接続することもできる。また、レコーダ本体１０の記録再生部１３を分離させて別体とし、他の構成部分からなるレコーダ本体１０と、この別体の記録再生部１３と、ディスクストッカ２０と、を電気的に接続してもよい。
【００４７】
また、以上の実施の形態においては、テレビ番組の画像・音声情報をＤＶＤに記録するＤＶＤレコーダ１に本発明を適用した例を示したが、ラジオ番組の音声情報をカセットテープ、ＭＤ、ＣＤ−Ｒ、ＣＤ−ＲＷ等に記録する各種情報記録装置に本発明を適用することもできる。
【００４８】
また、以上の実施の形態に係る情報記録方法の情報記録工程Ｓ６においては、レコーダ本体１０の制御部１７の機能により、ハードディスク１２内の情報を特定のＤＶＤ２２に「自動的に」記録した例を示したが、ユーザの操作により、ハードディスク１２内の情報を特定のＤＶＤ２２に記録するようにしてもよい。
【図面の簡単な説明】
【００４９】
【図１】本発明の実施の形態に係るＤＶＤレコーダの機能的構成を示すブロック図である。
【図２】図１に示したＤＶＤレコーダのメモリに記録された各種制御プログラムを示す説明図である。
【図３】図１に示したＤＶＤレコーダのメモリに記録された関連付テーブルの一例を示す説明図である。
【図４】図１に示したＤＶＤレコーダを用いた情報記録方法を説明するためのフローチャートである。
【符号の説明】
【００５０】
１      ＤＶＤレコーダ（情報記録装置）
１２    ハードディスク（予備記録媒体）
１３    記録再生部（記録手段）
１５    操作部（関連付手段）
１７    制御部（特定記録媒体抽出手段、記録制御手段、情報消去手段）
２０    ディスクストッカ（記録媒体収納手段）
２２    ＤＶＤ（記録媒体）
Ｓ２    関連付工程
Ｓ４    情報予備記録工程
Ｓ５    特定記録媒体抽出工程
Ｓ６    情報記録工程
Ｓ７    情報消去工程
【図１】
2005293624.tif 000003
【図２】
2005293624.tif 000004
【図３】
2005293624.tif 000005
【図４】
2005293624.tif 000006